(57)【要約】【課題】安全性を高めるとともに、操作性及び利便性を高める。【解決手段】タッチパネル３を付設したディスプレイ２に動作スイッチＢｘａ，Ｂｘｂ…，Ｂｙ…を表示するに際し、タッチにより直ちにスイッチ操作が有効となる第一動作スイッチＢｘａ，Ｂｘｂ…と、タッチした後、さらにエンタキーＫｅをタッチしてスイッチ操作が有効となる第二動作スイッチＢｙ…を、スイッチ操作が必要となるファンクションキーＫｘ，Ｋｙ…のタッチによりウィンドウ表示するとともに、第一動作スイッチＢｘａ，Ｂｘｂ…と第二動作スイッチＢｙ…をそれぞれ識別可能に表示する。【選択図】図１
2004155074.tif 000002
【特許請求の範囲】
【請求項１】
タッチパネルを付設したディスプレイに動作スイッチを表示する射出成形機の動作スイッチ表示方法において、タッチにより直ちにスイッチ操作が有効となる第一動作スイッチと、タッチした後、さらにエンタキーをタッチしてスイッチ操作が有効となる第二動作スイッチを、スイッチ操作が必要となるファンクションキーのタッチによりウィンドウ表示するとともに、前記第一動作スイッチと前記第二動作スイッチをそれぞれ識別可能に表示することを特徴とする射出成形機の動作スイッチ表示方法。
【請求項２】
少なくとも前記第一動作スイッチは、前記第二動作スイッチに対して色により識別可能に表示することを特徴とする請求項１記載の射出成形機の動作スイッチ表示方法。
【請求項３】
前記第一動作スイッチの周りを色付きの枠表示部により囲むことを特徴とする請求項２記載の射出成形機の動作スイッチ表示方法。
【請求項４】
前記第二動作スイッチは、前記第一動作スイッチとは異なる色により識別可能に表示することを特徴とする請求項２記載の射出成形機の動作スイッチ表示方法。
【請求項５】
前記第二動作スイッチの周りを色付きの枠表示部により囲むことを特徴とする請求項４記載の射出成形機の動作スイッチ表示方法。
【請求項６】
前記エンタキーは、前記第二動作スイッチをタッチした後、前記ディスプレイにおける予め設定した定位置に表示することを特徴とする請求項１記載の射出成形機の動作スイッチ表示方法。
【発明の詳細な説明】
【０００１】
【発明の属する技術分野】
本発明は、タッチパネルを付設したディスプレイに動作スイッチを表示する際に用いて好適な射出成形機の動作スイッチ表示方法に関する。
【０００２】
【従来の技術】
従来、タッチパネルを付設したディスプレイを備える射出成形機としては、特開平９−２４４８１１号公報等で開示される射出成形機が知られており、通常、この種の射出成形機では、タッチパネルを付設したディスプレイの画面上に、機械的スイッチに似せた動作スイッチを表示し、この動作スイッチをタッチすることにより、機械的スイッチと同様の操作、即ち、成形機動作の開始や停止等の操作（オン又はオフ）を行えるようにしていた。
【０００３】
また、射出成形機には、圧力，速度，位置及び温度等に対する各種制御項目が数多く存在するため、動作スイッチも種々の設定画面や監視画面において様々な態様で表示され、タッチにより直ちに動作を開始する動作スイッチと、タッチした後、さらにエンタキーをタッチしなければ動作を開始しない動作スイッチが混在している。
【特許文献１】
特開平９−２４４８１１号公報
【０００４】
【発明が解決しようとする課題】
しかし、上述した射出成形機における従来の動作スイッチ表示方法は、次のような解決すべき課題が存在した。
【０００５】
第一に、動作スイッチは様々な態様で表示されるため、タッチにより直ちに動作を開始する動作スイッチであるにも拘わらず、オペレータがエンタキーの必要な動作スイッチと勘違いしてタッチした場合、成形機は直ちに動作が開始することになり、不測の事故を招く虞れもあるなど、安全性において改善すべき余地が残されている。
【０００６】
第二に、異なる種々の画面の中で動作スイッチも統一性の無い様々な態様で表示されるため、誤って他のスイッチ（キー）を操作してしまう虞れがあるなど、操作性や利便性に難がある。
【０００７】
本発明は、このような従来の技術に存在する課題を解決したものであり、特に、安全性を高めるとともに、加えて、操作性及び利便性を高めることができる射出成形機の動作スイッチ表示方法の提供を目的とする。
【０００８】
【課題を解決するための手段及び実施の形態】
本発明に係る射出成形機の動作スイッチ表示方法は、タッチパネル３を付設したディスプレイ２に動作スイッチＢｘａ，Ｂｘｂ…，Ｂｙ…を表示するに際し、タッチにより直ちにスイッチ操作が有効となる第一動作スイッチＢｘａ，Ｂｘｂ…と、タッチした後、さらにエンタキーＫｅをタッチしてスイッチ操作が有効となる第二動作スイッチＢｙ…を、スイッチ操作が必要となるファンクションキーＫｘ，Ｋｙ…のタッチによりウィンドウ表示するとともに、第一動作スイッチＢｘａ，Ｂｘｂ…と第二動作スイッチＢｙ…をそれぞれ識別可能に表示するようにしたことを特徴とする。
【０００９】
この場合、好適な実施の態様により、少なくとも第一動作スイッチＢｘａ，Ｂｘｂ…は、第二動作スイッチＢｙ…に対して色により識別可能に表示、具体的には、第一動作スイッチＢｘａ，Ｂｘｂ…の周りを色付きの枠表示部１１ａ，１１ｂ…により囲むことができる。一方、第二動作スイッチＢｙ…も、第一動作スイッチＢｘａ，Ｂｘｂ…とは異なる色により識別可能に表示、具体的には、第二動作スイッチＢｙ…の周りを色付きの枠表示部１２…により囲むことができる。また、エンタキーＫｅは、第二動作スイッチＢｙ…をタッチした後、ディスプレイ２における予め設定した定位置Ｘｓに表示することができる。
【００１０】
【実施例】
次に、本発明に係る好適な実施例を挙げ、図面に基づき詳細に説明する。
【００１１】
まず、本実施例に係る動作スイッチ表示方法の実施に用いる表示装置１の構成及びこの表示装置１を備える射出成形機Ｍの概略構成について、図２及び図３を参照して説明する。
【００１２】
図２中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には、起設した側面パネル１３を利用して表示装置１を配設する。この場合、表示装置１は、タッチパネル３を付設したディスプレイ２を有するディスプレイユニット２１と、このディスプレイユニット２１に接続する表示制御ユニット２２（図３）を含むため、ディスプレイユニット２１は側面パネル１３に配設するとともに、表示制御ユニット２２は機台Ｍｂに内蔵させる。
【００１３】
図３は、表示装置１の機能ブロック図を示す。表示制御ユニット２２は、図示しないＣＰＵ，ＲＯＭ，ＲＡＭ等を含むコンピュータにより構成され、ＨＭＩ（ヒューマン・マシン・インタフェース）プログラムにより機能する。このＨＭＩプログラムは、射出成形機Ｍの動作条件の設定や表示及び射出成形機Ｍの動作監視データの表示等を行うソフトウェアである。この表示制御ユニット２２には、画像表示データ処理部（制御部）２３、各種センサの検出データ，入出力情報及びアナログ情報等を書き込むプロセスデータメモリ２４、各種画像データを記憶する画像データメモリ２５、動作条件等の各種設定データを記憶する設定データメモリ２６、タッチパネル３に接続した入力処理部２７、ディスプレイ２に接続した画像メモリ２８等が含まれる。この場合、ディスプレイ２としてはカラー表示可能なカラー液晶ディスプレイを用いることができる。
【００１４】
次に、表示装置１を用いた本実施例に係る動作スイッチ表示方法について、図１〜図３及び図５を参照しつつ図４に示すフローチャートに従って説明する。
【００１５】
まず、動作スイッチを表示する設定画面の概要について、図１を参照して説明する。図１は、ディスプレイ２に表示された型開閉に係る設定画面Ｖａを示す。この設定画面Ｖａにより、型開閉工程における各種動作条件を設定することができる。この設定画面Ｖａの上段と下段には、各種画面Ｖａ…を切換える画面項目毎に設けた複数の画面切換キーＫ１，Ｋ２，Ｋ３…を表示する。この画面切換キーＫ１…は、使用頻度の高さを考慮してランク分けされ、上段に、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７を有する成形機の動作条件の設定に係わる第一のグループＧａを横一列に配するとともに、下段に、これ以外となる段取り画面切換キーＫ８，工程監視画面切換キーＫ９，生産情報画面切換キーＫ１０，波形画面切換キーＫ１１，統計画面切換キーＫ１２，トレンド画面切換キーＫ１３を有する第二のグループＧｂを横一列に配する。
【００１６】
各画面切換キーＫ１…は、設定画面Ｖａを他の画面に切換えた場合でも同様に表示される。例えば、図５は、射出・計量画面切換キーＫ３を選択した場合の射出・計量に係る設定画面Ｖｂを示すとともに、図２は、工程監視画面切換キーＫ９を選択した場合の工程監視画面Ｖｃの概要を示すが、各画面切換キーＫ１…は、図１に示した設定画面Ｖａと同じ位置に同じ形状で表示される。なお、図１に表示される第二のグループＧｂは、第一階層が表示された状態であるが、画面右端の階層画面切換キーＫｃをタッチすることにより、第二階層における履歴画面切換キー，プログラム画面切換キー，信号レコーダ画面切換キー，診断画面切換キー等が、画面切換キーＫ８〜Ｋ１３と入れ替わる形で同様に表示される。また、表示装置１は、画面切換キーＫ１…の配列をユーザサイドで任意に変更できる配列変更機能及び変更後の配列を記憶する配列記憶機能を備えている。これにより、ユーザ自身が使い勝手を考慮して画面切換キーＫ１…の配列（順番）を任意に変更することができる。このようなレイアウト表示により、各画面切換キーＫ１…に表示される名称表示を変更する場合でも、ソフトウェアにより容易に対処でき、変更に伴う工数の削減及びコストダウンを図れるとともに、各画面切換キーＫ１…に対する視認性及び操作性を高めることができる。
【００１７】
そして、上述した設定画面Ｖａ，Ｖｂ…に、各設定画面Ｖａ，Ｖｂ…に対応した動作スイッチが、本実施例に係る動作スイッチ表示方法に従って表示される。今、図１に示す型開閉に係る設定画面Ｖａにおけるスイッチ操作が必要となる型厚装置キー（ファンクションキー）Ｋｘをタッチした場合を想定する（ステップＳ１）。この場合、型厚装置キーＫｘのタッチにより、設定画面Ｖａの略中央には、第一動作スイッチＢｘａ，Ｂｘｂを有する第一スイッチボードＷｘがウィンドウ表示される（ステップＳ２，Ｓ３）。したがって、第一スイッチボードＷｘは、型厚装置キーＫｘがタッチされるまでは表示されない。
【００１８】
第一スイッチボードＷｘは、上端にタイトルバー３１を有するとともに、この下側にメッセージ表示欄３２を有する。そして、メッセージ表示欄３２の下側に、第一動作スイッチＢｘａ，Ｂｘｂ及びＥＸＩＴキー（閉キー）Ｋｘｒが横方向に配列表示される。この第一動作スイッチＢｘａ，Ｂｘｂは、タッチにより直ちにスイッチ操作が有効となる動作スイッチであり、後述する第二動作スイッチＢｙに対して識別可能に表示される。即ち、各第一動作スイッチＢｘａ，Ｂｘｂの周りは色付きの枠表示部１１ａ，１１ｂにより囲まれる。この場合の色は、特に、注意を喚起する赤色を用いることが望ましい。
【００１９】
このような赤色の枠表示部１１ａ，１１ｂによって、オペレータは、表示された動作スイッチが、タッチにより直ちに動作を開始する第一動作スイッチＢｘａ，Ｂｘｂであることを確実に認識できる。特に、第一動作スイッチＢｘａ，Ｂｘｂは、色付きの枠表示部１１ａ，１１ｂにより囲まれる表示手法のため、第一動作スイッチＢｘａ，Ｂｘｂ自身は変更を要しない。したがって、第一動作スイッチＢｘａ，Ｂｘｂに表示される図形（矢印）や文字等の視認性が低下する弊害を回避できる。これは、後述する第二動作スイッチＢｙの場合も同様である。
【００２０】
よって、オペレータは、左方向の矢印Ｆａが表示された一方の第一動作スイッチＢｘａをタッチすれば、タッチにより直ちに型厚装置が動作を開始するとともに、タッチしている間だけ型厚装置を動かすことができる（ステップＳ４，Ｓ５）。同様に、右方向の矢印Ｆｂが表示された他方の第一動作スイッチＢｘｂをタッチすれば、タッチにより直ちに型厚装置が動作を開始するとともに、タッチしている間だけ型厚装置を動かすことができる（ステップＳ４，Ｓ５）。なお、ＥＸＩＴキーＫｘｒをタッチすることにより、第一スイッチボードＷｘを閉じることができる。
【００２１】
次に、図５に示す射出・計量に係る設定画面Ｖｂにおけるスイッチ操作が必要となる自動パージキー（ファンクションキー）Ｋｙをタッチした場合を想定する（ステップＳ１）。この場合、自動パージキーＫｙのタッチにより、設定画面Ｖｂの略中央には、第二動作スイッチＢｙを有する第二スイッチボードＷｙがウィンドウ表示される（ステップＳ２，Ｓ６）。したがって、第二スイッチボードＷｙは、自動パージキーＫｙがタッチされるまでは表示されない。
【００２２】
第二スイッチボードＷｙは、上端にタイトルバー３３を有し、かつこの左下側に、自動パージ工程に係るデータ監視欄３４を有するとともに、この右側に、第二動作スイッチＢｙ及びＥＸＩＴキーＫｙｒが縦方向に表示される。この第二動作スイッチＢｙは、タッチした後、さらにエンタキーをタッチしてスイッチ操作が有効となる動作スイッチである。また、第二動作スイッチＢｙの周りも色付きの枠表示部１２により囲まれる。この場合の色は、黄色を用いることが望ましい。このような黄色の枠表示部１２によって、オペレータは、表示された動作スイッチが、タッチした後、さらにエンタキーをタッチして動作を開始する第二動作スイッチＢｙであることを確実に認識できる。
【００２３】
よって、オペレータが、「ＯＦＦ」表示されている第二動作スイッチＢｙをタッチすれば（ステップＳ７）、この後、ディスプレイ２における予め設定した定位置ＸｓにエンタキーＫｅが表示される（ステップＳ８）。実施例は、定位置Ｘｓとしてディスプレイ２の右下隅（図５参照）に設定した場合を示す。このエンタキーＫｅは、設定画面が異なっても常に同一の定位置Ｘｓに表示される。なお、第二動作スイッチＢｙのタッチにより「ＯＦＦ」表示は「ＯＮ」表示に変わるとともに、第二動作スイッチＢｙは点滅状態となる。次いで、エンタキーＫｅをタッチすることにより、自動パージ動作が開始する（ステップＳ９，Ｓ１０）。なお、エンタキーＫｅと一緒にＥＸＩＴキーＫｅｒが表示されるため、ＥＸＩＴキーＫｅｒをタッチすることにより、エンタキーＫｅを閉じることができる。さらに、第二動作スイッチＢｙを、再度タッチすることにより自動パージ動作を停止させることができるとともに、ＥＸＩＴキーＫｙｒをタッチすることにより第二スイッチボードＷｙを閉じることができる。
【００２４】
このように、本実施例に係る動作スイッチ表示方法によれば、オペレータは、注意が喚起される赤色の枠表示部１１ａ，１１ｂ、さらには黄色の枠表示部１２により、第一動作スイッチＢｘａ，Ｂｘｂと第二動作スイッチＢｙを容易かつ確実に識別できるため、タッチにより直ちに動作を開始する第一動作スイッチＢｘａ，Ｂｘｂであるにも拘わらず、エンタキーＫｅの必要な第二動作スイッチＢｙと勘違いしてタッチしてしまう弊害は回避され、安全性が高められる。
【００２５】
また、第一動作スイッチＢｘａ，Ｂｘｂ及び第二動作スイッチＢｙは、それぞれ第一スイッチボードＷｘ及び第二スイッチボードＷｙにより画面の略中央にウィンドウ表示されるとともに、エンタキーＫｅは、第二動作スイッチＢｙ…をタッチした後、ディスプレイ２における予め設定した定位置Ｘｓに表示されるため、統一性が確保される。この結果、誤って他のスイッチ（キー）を操作してしまうなどの不具合も解消され、操作性及び利便性が高められる。
【００２６】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、第一動作スイッチＢｘａ，Ｂｘｂ…と第二動作スイッチＢｙ…を識別する手法として色を用いたが、その他、形状や模様等により識別する場合を排除するものではない。また、色の表示手法として枠表示部１１ａ，１１ｂ…，１２…を用いたが、他の表示手法を排除するものではない。なお、ディスプレイ２として液晶ディスプレイを例示したが、ＣＲＴやプラズマディスプレイ等の各種ディスプレイを適用できる。
【００２７】
【発明の効果】
このように、本発明に係る射出成形機の動作スイッチ表示方法は、タッチにより直ちにスイッチ操作が有効となる第一動作スイッチと、タッチした後、さらにエンタキーをタッチしてスイッチ操作が有効となる第二動作スイッチを、スイッチ操作が必要となるファンクションキーのタッチによりウィンドウ表示するとともに、第一動作スイッチと第二動作スイッチをそれぞれ識別可能に表示するようにしたため、次のような顕著な効果を奏する。
【００２８】
（１）  オペレータは、第一動作スイッチと第二動作スイッチをそれぞれ容易かつ確実に認識（識別）できるため、動作スイッチの種類に対する勘違いを回避でき、安全性を高めることができる。
【００２９】
（２）  動作スイッチの表示に対する統一性が確保されるため、誤って他のスイッチ（キー）を操作してしまうなどの不具合を解消でき、操作性及び利便性を高めることができる。特に、好適な実施の態様により、エンタキーを、第二動作スイッチをタッチした後、ディスプレイにおける予め設定した定位置に表示するようにすれば、更なる操作性及び利便性の向上に寄与できる。
【００３０】
（３）  好適な実施の態様により、少なくとも第一動作スイッチを、第二動作スイッチに対して色により識別可能に表示するとともに、第一動作スイッチ及び第二動作スイッチの周りを色付きの枠表示部により囲むようにすれば、各動作スイッチ自身は、変更を要しないため、各動作スイッチに表示される図形（矢印）や文字等に対する視認性が低下する弊害を回避できる。
【図面の簡単な説明】
【図１】本発明の好適な実施例に係る動作スイッチ表示方法により表示される第一動作スイッチの画面図、
【図２】同表示方法の実施に用いる表示装置を備える射出成形機の概要図、
【図３】同表示装置の機能ブロック図、
【図４】同動作スイッチ表示方法を説明するためのフローチャート、
【図５】同表示方法により表示される第二動作スイッチの画面図、
【符号の説明】
２      ディスプレイ
３      タッチパネル
１１ａ  枠表示部
１１ｂ  枠表示部
１２    枠表示部
Ｂｘａ  第一動作スイッチ
Ｂｘｂ  第一動作スイッチ
Ｂｙ    第二動作スイッチ
Ｋｅ    エンタキー
Ｋｘ    ファンクションキー
Ｋｙ    ファンクションキー
Ｘｓ    定位置
【図１】
2004155074.tif 000003
【図２】
2004155074.tif 000004
【図３】
2004155074.tif 000005
【図４】
2004155074.tif 000006
【図５】
2004155074.tif 000007